(57)【要約】【課題】防水下地に対して防水シートを安定的に固定可能なシート固定ユニット及びシート固定方法を提供する。【解決手段】シート固定ユニット１は、締結具６を挿通するための貫通孔が形成され、締結具６によって防水下地に固定される第一部材Ｄ１と、孔のない形状に形成され、第一部材Ｄ１の上方に配置される第二部材Ｄ２と、第一部材Ｄ１と第二部材Ｄ２とを連結する連結部１８と、が備えられ、第一部材Ｄ１の上面に、防水シート３の裏面が固定される第一シート固定部９が備えられ、かつ、第二部材Ｄ２の下面に、防水シート３の表面が固定される第二シート固定部２０が備えられる。【選択図】図７
2020079489.tif 000002
【特許請求の範囲】
【請求項１】
防水下地の上に敷設された防水シートを、前記防水下地に固定するシート固定ユニットであって、
締結具を挿通するための貫通孔が形成され、前記締結具によって前記防水下地に固定される第一部材と、
孔のない形状に形成され、前記第一部材の上方に配置される第二部材と、
前記第一部材と前記第二部材とを連結する連結部と、が備えられ、
前記第一部材の上面に、前記防水シートの裏面が固定される第一シート固定部が備えられ、かつ、前記第二部材の下面に、前記防水シートの表面が固定される第二シート固定部が備えられたシート固定ユニット。
【請求項２】
前記第二部材の裏面は、前記第一部材の表面の形状に沿った形状に形成されている請求項１に記載のシート固定ユニット。
【請求項３】
前記連結部は、前記貫通孔に通された状態で、前記第一部材と前記第二部材とを連結する請求項１または２に記載のシート固定ユニット。
【請求項４】
前記連結部に、前記第一部材の裏面側に設けられた第一係止部と、前記第二部材の裏面に前記第一部材の側に向けて立設され、前記貫通孔を貫通されて前記第一係止部に係止される第二係止部と、が備えられ、
前記第一係止部及び前記第二係止部の少なくとも一方に、ネジ状部が備えられ、
前記第二部材を前記第一部材に対して前記防水下地の鉛直方向回りに回転させることで前記ネジ状部が螺進して、前記第一シート固定部と前記第二シート固定部とが近づきながら前記第一係止部と前記第二係止部とが係止状態となる請求項１から３のいずれか一項に記載のシート固定ユニット。
【請求項５】
前記連結部に、前記第一部材の裏面側に設けられた第一係止部と、前記第二部材の裏面に前記第一部材の側に向けて立設され、前記貫通孔を貫通されて前記第一係止部に係止される第二係止部と、が備えられ、
前記第一部材に、前記第一シート固定部及び前記貫通孔が設けられた板状の第一板状部と、前記貫通孔に係止するとともに前記貫通孔から前記防水下地の側に向けて延設され、前記締結具によって前記防水下地に固定される筒状のワッシャ部と、が備えられ、
前記ワッシャ部の内周部に、前記第一係止部が設けられ、
前記第二係止部は、前記ワッシャ部に挿入された状態で、前記第一係止部に係止される請求項１から４のいずれか一項に記載のシート固定ユニット。
【請求項６】
前記ワッシャ部の内周部に、複数の開口部が形成され、
前記連結部に、前記開口部に嵌合する複数の板状の嵌合壁部と前記複数の嵌合壁部における前記防水下地の側の端部同士を連結する板状の底部とを有する係止部材が備えられ、
前記係止部材は、前記複数の嵌合壁部が前記複数の開口部に嵌合することで前記底部が前記ワッシャ部における軸芯方向中途部に位置する状態で前記ワッシャ部に位置決め保持されるように構成され、
前記底部に、前記第一係止部として、前記第二係止部の先端部が係止する孔部が形成され、
前記係止部材は、前記第一係止部に作用する前記第二係止部からの軸力によって前記嵌合壁部が前記開口部内において撓めるように弾性変形可能に構成されている請求項５に記載のシート固定ユニット。
【請求項７】
防水下地の上に敷設された防水シートを、前記防水下地に固定するシート固定方法であって、
締結具を挿通するための貫通孔が形成された板状の第一部材を、前記締結具によって前記防水下地に固定する工程と、
前記第一部材の上から前記防水シートを敷設する工程と、
前記防水シートにおける前記第一部材の上方に位置する部分に、孔のない板状の第二部材を載置して、前記防水シートを貫通する連結具によって前記第二部材を前記第一部材に連結する工程と、
前記第一部材の上面と前記防水シートの裏面とを固定する工程と、
前記第二部材の下面と前記防水シートの表面とを固定する工程と、が備えられたシート固定方法。
【請求項８】
前記第一部材の上面と前記防水シートの裏面とを固定する工程と、前記第二部材の下面と前記防水シートの表面とを固定する工程とを、前記第二部材の上面側からの誘導加熱によって同時に行う請求項７に記載のシート固定方法。
【発明の詳細な説明】
【技術分野】
【０００１】
本発明は、防水下地の上に沿って設けられる防水シートを防水下地に固定するシート固定ユニット及びシート固定方法に関する。
【背景技術】
【０００２】
この種のシート固定ユニットとしては、例えば、金属製の円板からなる固定具本体の上面に、防水シートを接着固定自在な固定部（ホットメルト接着層）を備えるシート固定具が存在する（例えば、特許文献１参照）。このように、防水シートの下側に配設されるシート固定具は、固定具本体の中央部にネジ貫通孔が形成されており、このネジ貫通孔に挿通させたネジ部材で防水下地に固定する構成であった。
【０００３】
シート固定具に防水シートを固定するには、防水下地に設置したシート固定具の上に防水シートを被せる。その後、防水シートの上方から電磁誘導加熱装置を用いて固定具本体を加熱する。これにより、固定具本体の上面の接着層（固定部）を溶かして、防水シートをシート固定具に固定する構成となっている。
【先行技術文献】
【特許文献】
【０００４】
【特許文献１】特開２００２−８８９８６号公報
【発明の概要】
【発明が解決しようとする課題】
【０００５】
特許文献１に記載されるように、防水シートの下側に配設するシート固定具を用いた場合には、例えば防水シートが強風を受けることで接着部から剥離するおそれがある。また、シート固定具の通年使用により接着層の接着剤が劣化することで防水シートが接着部から剥離するおそれがある。
【０００６】
特許文献１に記載の構成に代えて、防水シートの表面側にシート固定具を配設して防水シートを固定する構成が考えられる。この構成の場合は、例えばシート固定具の固定具本体の中央部にネジ部材を設け、ネジ部材を防水シートの表面側から挿入して防水下地に固定する。これにより、防水シートはシート固定具によって表面側から防水下地に固定されて、強風による防水シートの剥離が抑制される。しかし、本構成では、防水シートを固定するための固定具本体のネジ部材が防水シートを貫通するため、固定具本体の全体を覆うパッチ状のシートを防水シートに接着する必要があり手間が大きい。また、シート固定具と防水シートとの間に接合不良が生じた場合には漏水に直結するため、防水シートに対するシート固定具の接合状態を良好に維持する必要がある。
【０００７】
上記実情に鑑み、防水下地に対して防水シートを安定的に固定可能なシート固定ユニット及びシート固定方法が望まれている。
【課題を解決するための手段】
【０００８】
本発明に係るシート固定ユニットの特徴構成は、防水下地の上に敷設された防水シートを、前記防水下地に固定するシート固定ユニットであって、締結具を挿通するための貫通孔が形成され、前記締結具によって前記防水下地に固定される第一部材と、孔のない形状に形成され、前記第一部材の上方に配置される第二部材と、前記第一部材と前記第二部材とを連結する連結部と、が備えられ、前記第一部材の上面に、前記防水シートの裏面が固定される第一シート固定部が備えられ、かつ、前記第二部材の下面に、前記防水シートの表面が固定される第二シート固定部が備えられた点にある。
【０００９】
本構成によれば、防水シートの裏面側に第一部材が配置され、防水シートの表面側に第二部材が配置され、第一部材と第二部材とが連結される。これにより、防水シートが確実に固定される。
【００１０】
本構成によれば、第一部材が締結具によって防水下地に固定され、第一部材の第一シート固定部によって防水シートの裏面側が固定される。また、孔のない形状に形成され、第一部材の上方に配置される第二部材が、連結部によって第一部材に連結されるので、第二部材の第二シート固定部によって防水シートの表面側が固定される。
【００１１】
すなわち、防水下地に固定した第一部材に第二部材を連結することで、防水シートは裏面側の第一部材と表面側の第二部材に挟まれた状態で固定される。これにより、防水シートを防水下地に安定的に固定することができる。また、第二部材は孔のない形状であるので、第二部材の表面側から第一部材との間の連結部に水が浸入することが防止される。こうして、連結部を備えて、防水シートを防水下地に安定的に固定可能なシート固定ユニットを提供できるに至った。
【００１２】
本発明においては、前記第二部材の裏面は、前記第一部材の表面の形状に沿った形状に形成されていると好適である。
【００１３】
本構成によれば、第二部材の裏面は、第一部材の表面の形状に沿った形状に形成されているので、第一部材の表面側と第二部材の裏面側との間に配置される防水シートは、第一部材及び第二部材に沿わせて配置することができる。これにより、第一シート固定部及び第二シート固定部が防水シートに沿うことになるため、第一部材及び第二部材によって防水シートをより確実に固定することができる。
【００１４】
本発明においては、前記連結部は、前記貫通孔に通された状態で、前記第一部材と前記第二部材とを連結すると好適である。
【００１５】
本構成の如く、第一部材と第二部材とを連結する連結部が、第一部材に形成された貫通孔に通されると、第一部材と第二部材との間において連結部の位置が安定する。これにより、連結部による第一部材及び第二部材の連結が容易になる。
【００１６】
本発明においては、前記連結部に、前記第一部材の裏面側に設けられた第一係止部と、前記第二部材の裏面に前記第一部材の側に向けて立設され、前記貫通孔を貫通されて前記第一係止部に係止される第二係止部と、が備えられ、前記第一係止部及び前記第二係止部の少なくとも一方に、ネジ状部が備えられ、前記第二部材を前記第一部材に対して前記防水下地の鉛直方向回りに回転させることで前記ネジ状部が螺進して、前記第一シート固定部と前記第二シート固定部とが近づきながら前記第一係止部と前記第二係止部とが係止状態となると好適である。
【００１７】
本構成によれば、連結部は、第一部材の裏面側に設けられた第一係止部と、第二部材の裏面に第一部材の側に向けて立設され、貫通孔を貫通されて第一係止部に係止される第二係止部と、が備えられて構成されているので、第一係止部に第二係止部を係止させることで第一部材と第二部材とを確実に連結することができる。
【００１８】
また、第一係止部及び第二係止部の少なくとも一方に備えられたネジ状部を回転させることで、第一シート固定部と第二シート固定部とが近づきながら第一係止部と第二係止部とが係止状態となるので、第一シート固定部及び第二シート固定部を両者の間に配設される防水シートに対して密接させつつ第一部材と第二部材とを連結することができる。
【００１９】
本発明においては、前記連結部に、前記第一部材の裏面側に設けられた第一係止部と、前記第二部材の裏面に前記第一部材の側に向けて立設され、前記貫通孔を貫通されて前記第一係止部に係止される第二係止部と、が備えられ、前記第一部材に、前記第一シート固定部及び前記貫通孔が設けられた板状の第一板状部と、前記貫通孔に係止するとともに前記貫通孔から前記防水下地の側に向けて延設され、前記締結具によって前記防水下地に固定される筒状のワッシャ部と、が備えられ、前記ワッシャ部の内周部に、前記第一係止部が設けられ、前記第二係止部は、前記ワッシャ部に挿入された状態で、前記第一係止部に係止されると好適である。
【００２０】
本構成は、防水下地の上に板状の断熱部材が敷設され、その断熱部材の上面に沿って防水シートが敷設される構成において好適に用いることができる。すなわち、第一部材は、第一板状部が断熱部材の表面に載置され、且つ、ワッシャ部が断熱部材の内部に進入した状態で、締結具によって防水下地に固定することができる。
【００２１】
そして、第二部材を第一部材の第一板状部の上側に配置して、連結部が、第一部材の筒ワッシャ部の内部の第一係止部と、第二部材の裏面に第一部材の側に向けて立設され、貫通孔を貫通される第二係止部との夫々に係止により、第一部材と第二部材とを連結する。このように、連結部は、断熱部材に進入するワッシャ部の構成を利用して簡単な構造で第一部材と第二部材とを連結することができる。
【００２２】
本発明において、前記ワッシャ部の内周部に、複数の開口部が形成され、前記連結部に、前記開口部に嵌合する複数の板状の嵌合壁部と前記複数の嵌合壁部における前記防水下地の側の端部同士を連結する板状の底部とを有する係止部材が備えられ、前記係止部材は、前記複数の嵌合壁部が前記複数の開口部に嵌合することで前記底部が前記ワッシャ部における軸芯方向中途部に位置する状態で前記ワッシャ部に位置決め保持されるように構成され、前記底部に、前記第一係止部として、前記第二係止部の先端部が係止する孔部が形成され、前記係止部材は、前記第一係止部に作用する前記第二係止部からの軸力によって前記嵌合壁部が前記開口部内において撓めるように弾性変形可能に構成されていると好適である。
【００２３】
本構成によれば、ワッシャ部の内周部に形成された複数の開口部に、嵌合壁部と底部とを有する係止部材の当該嵌合壁部が嵌合し、係止部材の底部に形成された孔部が第一係止部として設けられ、当該第一係止部が第二部材に設けられた第二係止部に係止される。ここで、第一部材のうち、第一板状部及びワッシャ部は、防水下地に固定される締結具を支持する上で高い剛性が求められる。一方、ワッシャ部に位置決め保持される係止部材は、第二部材の第二係止部に係止されて第一部材と第二部材とを連結させる連結部としての機能を有していればよい。そのため、係止部材は、第二係止部からの軸力が第一係止部に作用した場合に嵌合壁部が開口部内において撓めるように弾性変形可能に構成されている。これにより、例えば、第一部材と第二部材との間に配置される防水シートの厚みに応じて、嵌合壁部がワッシャ部の開口部内において撓む度合も変化するので、係止部材の第一係止部を第二係止部に係止する位置に容易に調整することができる。また、第一係止部に係止された状態の第二係止部に対して軸力が働いた場合にも、第一係止部の嵌合壁部がワッシャ部の開口部内において撓むことで第二係止部の移動が許容されるため、第一係止部に対する第二係止部の係止状態が維持され易くなる。
【００２４】
本発明に係るシート固定方法の特徴構成は、防水下地の上に敷設された防水シートを、前記防水下地に固定するシート固定方法であって、締結具を挿通するための貫通孔が形成された板状の第一部材を、前記締結具によって前記防水下地に固定する工程と、前記第一部材の上から前記防水シートを敷設する工程と、前記防水シートにおける前記第一部材の上方に位置する部分に、孔のない板状の第二部材を載置して、前記防水シートを貫通する連結具によって前記第二部材を前記第一部材に連結する工程と、前記第一部材の上面と前記防水シートの裏面とを固定する工程と、前記第二部材の下面と前記防水シートの表面とを固定する工程と、が備えられた点にある。
【００２５】
本構成によれば、第一部材が締結具によって防水下地に固定され、第一部材の第一シート固定部によって防水シートの裏面側を固定することができる。また、孔のない形状に形成され、第一部材の上方に配置される第二部材が、連結具によって第一部材に連結され、第二部材の第二シート固定部によって防水シートの表面側を固定することができる。
【００２６】
すなわち、防水下地に固定した第一部材に第二部材が連結されて、防水シートは裏面側の第一部材と表面側の第二部材に挟まれた状態で固定される。これにより、防水シートを防水下地に安定的に固定することができる。また、第二部材は孔のない形状であるので、第二部材の表面側から第一部材との間の連結部に水が浸入することが防止される。
【００２７】
本発明に係るシート固定方法において、前記第一部材の上面と前記防水シートの裏面とを固定する工程と、前記第二部材の下面と前記防水シートの表面とを固定する工程とを、前記第二部材の上面側からの誘導加熱によって同時に行うと好適である。
【００２８】
本構成の如く、防水シートに対する第一部材と第二部材との固定を、第二部材の上面側からの誘導加熱によって同時に行うことで、防水下地に対する防水シートの施工を効率よく行うことができる。
【図面の簡単な説明】
【００２９】
【図１】シート固定ユニットの設置状態を示す斜視図である。
【図２】シート固定ユニットの第一部材の分解斜視図である。
【図３】シート固定ユニットの第二部材を示す図である。
【図４】防水シートの設置工程を示す断面図である。
【図５】防水シートの設置工程を示す断面図である。
【図６】防水シートの設置工程を示す断面図である。
【図７】防水シートの設置工程を示す要部断面図である。
【図８】図５のＶＩＩＩ−ＶＩＩＩ矢視断面図である。
【図９】別形態のシート固定ユニットを示す断面図である。
【図１０】別形態のシート固定ユニットを示す断面図である。
【発明を実施するための形態】
【００３０】
以下、本発明に係るシート固定ユニットの実施形態を図面に基づいて説明する。
【００３１】
図１に示すように、屋根Ｒは、例えば金属製の折板屋根等で構成された屋根下地（防水下地の一例）２の上に、ボード状の断熱材４が敷き並べられ、その断熱材４の上に防水シート３が敷設されて構成されている。シート固定ユニット１は、屋根下地２の上に防水シート３を固定するものである。
【００３２】
屋根下地２は、金属製の折板屋根の他、鉄筋コンクリート構造のスラブや、例えばＡＬＣ板を敷き並べて形成したスラブや、デッキプレートや金属折板とコンクリートを組み合わせて形成したスラブや、それらスラブの上に断熱層を積層させたもの等を用いることもできる。屋根下地２は、シート固定ユニット１を固定するためのビス６（図２参照）を抜け止め状態に支持可能であることが好ましい。
【００３３】
断熱材４は、断熱素材からなる板状の部材である。断熱材４の材質としては、例えば、ポリスチレン、ウレタン、イソシアネート等の種々のものを採用できる。また、図１に示す防水シート３は、可撓性を有し、例えば、塩化ビニル等の合成樹脂で構成されている。
【００３４】
シート固定ユニット１は、屋根下地２に対して間隔を空けて複数配置され、防水シート３は、複数のシート固定ユニット１を用いて屋根下地２に固定されるようになっている。
【００３５】
図１〜図３に示すように、シート固定ユニット１は、第一部材Ｄ１と第二部材Ｄ２とを備えている。図２に示すように、第一部材Ｄ１は、第一板状部としての円板状の板状部材５と、板状部材５に挿通自在でビス６（締結具の一例）によって屋根下地２に固定される筒状部としてのワッシャ部７と、が備えられている。板状部材５は、金属板をプレス加工によって成形してあり、円板の中央部分に、ワッシャ部７を挿通自在な貫通孔８が形成されている。その貫通孔８の外周側の部分が上方に膨出しており、その上面部分に、防水シート３が固定される第一シート固定部としての接着部９が設けられている。従って、板状部材５及びワッシャ部７によって、ビス６を用いて屋根下地２に固定可能な第一部材Ｄ１が構成されている。
【００３６】
接着部９は、例えば、ポリエステル系、エチレン酢酸ビニル系、合成ゴム系、オレフィン系等の接着剤からなるホットメルト接着層によって構成されている。接着部９にて防水シート３を固定する場合は、シート固定ユニット１の第一部材Ｄ１の上方側に防水シート３を被せるように配置した状態で、防水シート３の表側から電磁誘導加熱装置等によって板状部材５を加熱して接着部９のホットメルト接着層を溶融させることで防水シート３を第一部材Ｄ１に接着することができる。
【００３７】
板状部材５における貫通孔８の周囲は、全周にわたって屋根下地２側に凹入された凹入部１１が形成されている。
【００３８】
図２に示すように、ワッシャ部７は、ビス６が挿通される筒状の本体部１３と、本体部１３の上端に設けられ、本体部１３の外径よりも大径に形成された鍔状部１４と、本体部１３の内部下端に設けられ、ビス６の頭部が係止可能な頭部係止部としての座繰り部１５と、を備えている。ワッシャ部７は、例えば金属材にて構成されている。ワッシャ部７の本体部１３（内周部の一例）には、周方向に間隔をあけて径方向に挿通する状態で複数（図に示す例では４つ）の開口部１６が形成されている。なお、ワッシャ部７は合成樹脂材によって構成されていてもよい。
【００３９】
第一部材Ｄ１と第二部材Ｄ２とを連結する連結部１８として、第一部材Ｄ１の側にはワッシャ部７に装着される係止部材２１が設けられている。係止部材２１は、図２に示すように、ワッシャ部７の開口部１６に嵌合する複数（図２に示す例では２個）の板状の嵌合壁部２３と複数の嵌合壁部２３における屋根下地２の側の端部同士を連結する板状の底部２４とを有する。底部２４は円環状に形成されている。嵌合壁部２３は、ワッシャ部７の開口部１６に嵌合可能に構成されている。具体的には、嵌合壁部２３は、ワッシャ部７の開口部１６に嵌合する嵌合部２５と、嵌合部２５の上部外周側に設けられ開口部１６の上端に係止される係止部２６と、嵌合部２５の上部内周側において周方向両側に延設される一対の当接部２７と、を有する。
【００４０】
図３に示すように、第二部材Ｄ２は板状部材１７を備える。板状部材１７は、第一部材Ｄ１の板状部材５と同じ構成であり、金属板をプレス加工によって円板状に成形されている。板状部材１７は孔のない形状に形成されている。板状部材１７の裏面部分には、防水シート３が固定される第二シート固定部としてのホットメルト接着層からなる接着部２０が設けられている。
【００４１】
第一部材Ｄ１と第二部材Ｄ２とを連結する連結部１８として、第二部材Ｄ２の側には、ネジ状部３１（第二係止部の一例）が設けられている。ネジ状部３１は、板状部材１７の裏面に第一部材Ｄ１の側に向けて立設されている。ネジ状部３１は係止部材２１の内部に上下方向に挿通し且つ螺進させることで係止部材２１を拡径させる。板状部材１７の表面１７ａには、ネジ状部３１を囲む位置に矩形状の凹部１７ｂが２つ形成されている。凹部１７ｂは、図示しない治具を用いて第二部材Ｄ２をネジ状部３１の軸芯周りに回転させるために設けられている。
【００４２】
次に、シート固定ユニット１を用いて防水シート３を屋根下地２に設置するシート固定方法の一例について説明する。
【００４３】
図４に示すように、初めに、ビス６を挿通するための貫通孔８が形成された第一部材Ｄ１の板状部材５を、ビス６によって屋根下地２に固定する工程を行う。予め、第一部材Ｄ１において、板状部材５とワッシャ部７とを合体させておく（図４参照）。そして、断熱材４が敷設されている屋根下地２に対して第一部材Ｄ１を設置する。設置にあたっては、ワッシャ部７の下端部を断熱材４に突き刺し、ワッシャ部７の内部に挿入したビス６を捻じ込む。この場合、断熱材４における設置対応位置に、予め、ワッシャ部７を挿入する穴を形成しておいてもよい。ワッシャ部７の鍔状部１４が板状部材５の貫通孔８の周囲に形成された凹入部１１に納まるまでビス６を螺進させる。ビス６によってワッシャ部７が屋根下地２に固定され、ワッシャ部７が板状部材５を押えることにより、板状部材５が固定される。
【００４４】
次に、図５に示すように、係止部材２１をワッシャ部７の内部に挿入し、ワッシャ部７に係止部材２１を組付ける。図８に示すように、係止部材２１の複数の嵌合壁部２３がワッシャ部７の複数の開口部１６に嵌合する。これにより、係止部材２１は、底部２４がワッシャ部７における軸芯方向中途部に位置する状態でワッシャ部７に位置決め保持される。係止部材２１の底部２４には、第一係止部として、ネジ状部３１（第二係止部）の先端部３２が係止する円形の孔部２８が形成されている。係止部材２１は、孔部２８（第一係止部）に作用するネジ状部３１（第二係止部）からの軸力によって嵌合壁部２３が開口部１６内において撓めるように弾性変形可能に構成されている。
【００４５】
係止部材２１は、孔部２８において対向する位置に２つの凸部２８ａ，２８ａが設けられている。係止部材２１が、板状部材５の貫通孔８を通してワッシャ部７に差し込まれると、複数の嵌合壁部２３が本体部１３の内周面に摺接案内されて開口部１６に嵌り合い、底部２４の一部が開口部１６の下部に載置された状態でワッシャ部７に装着される。以上の工程でシート固定ユニット１の第一部材Ｄ１を設置することができる。
【００４６】
次に、第一部材Ｄ１の上から防水シート３を敷設する工程を行う（図５、図６参照）。屋根下地２に第一部材Ｄ１を設置した後、第一部材Ｄ１の板状部材５の上から防水シート３を広げて被せるように設置して、防水シート３の弛みをとる。
【００４７】
次に、防水シート３における第一部材Ｄ１の上方に位置する部分に、孔のない板状の第二部材Ｄ２を載置して、防水シート３を貫通するネジ状部３１（第二係止部及び連結具の一例）によって第二部材Ｄ２を第一部材Ｄ１に連結する工程を行う。第一部材Ｄ１の側の係止部材２１の孔部２８に第二部材Ｄ２の側のネジ状部３１が係止することで、第一部材Ｄ１と第二部材Ｄ２とが連結状態となる（図６、図７参照）。
【００４８】
ネジ状部３１は、第二部材Ｄ２の板状部材１７と一体形成されており、先端部３２に螺旋状のネジ溝３２ａを有する。ネジ状部３１の先端部３２は、係止部材２１の底部２４の孔部２８に螺合して装着可能に設けられている。第二部材Ｄ２は、ネジ状部３１が係止部材２１に差し込み挿入されて回転されることで、係止部材２１に対して軸方向での位置保持がされるように構成されている。
【００４９】
第二部材Ｄ２を第一部材Ｄ１に対して屋根下地２の鉛直方向回りに回転させることでネジ状部３１が螺進して、第一シート固定部９と第二シート固定部２０とが近づきながら孔部２８（第一係止部）とネジ状部３１（第二係止部）とが係止状態となる。具体的には、図５に示す状態から防水シート３が敷設された後、第二部材Ｄ２のネジ状部３１を防水シート３の表面に押し付けて、ネジ状部３１によって防水シート３を貫通させる。その後、第二部材Ｄ２のネジ状部３１を係止部材２１に対して挿入する（図６参照）。図６に示す状態から、第二部材Ｄ２のネジ状部３１を回転させることで、ネジ状部３１のネジ溝３２ａが底部２４の孔部２８の凸部２８ａ，２８ａに弾性的に係止する（図７参照）。第二部材Ｄ２は、板状部材１７の表面１７ａに形成された凹部１７ｂに差込可能な図示しない治具を用いることで、回転させることができる。第二部材Ｄ２をネジ状部３１の軸芯周りに回転させるために設けられている。
【００５０】
こうして、第一部材Ｄ１の係止部材２１に対し第二部材Ｄ２のネジ状部３１が適正に連結される。また、ネジ状部３１の先端部３２が大径に設けられていることから、弾性変形により係止部材２１の嵌合壁部２３が径方向外方に押し広げられ、径方向外方側に拡径される。これらにより、第一部材Ｄ１に対して第二部材Ｄ２の抜け外れを防止することができる。こうして、図７に示すように第一部材Ｄ１に対する第二部材Ｄ２の連結が完了する。
【００５１】
次に、第一部材Ｄ１の上面と防水シート３の裏面とを固定する工程と、第二部材Ｄ２の下面と防水シート３の表面とを固定する工程と、を行う。本実施形態では、第一部材Ｄ１の上面と防水シート３の裏面とを固定する工程と、第二部材Ｄ２の下面と防水シート３の表面とを固定する工程とを、第二部材Ｄ２の上面側からの誘導加熱によって同時に行う。
【００５２】
具体的には、防水シート３の表面側の第二部材Ｄ２に対応する箇所において、図示しない誘導加熱装置を当て付け、誘導加熱装置による加熱によって板状部材５（第一部材Ｄ１）及び板状部材１７（第二部材Ｄ２）の接着面に塗布された接着部９，２０のホットメルト接着層を同時に溶融させて、防水シート３を接着部９，２０に溶着する。これにより、接着部９，２０に防水シート３が固定されて、屋根下地２に、ビス６とシート固定ユニット１を介して防水シート３が支持される。防水シート３に対して複数のシート固定ユニット１を接着すれば、防水シート３の設置が完了する。
【００５３】
このようにして、連結部１８を用いて板状部材５（第一部材Ｄ１）と板状部材１７（第二部材Ｄ２）とが連結されることで、屋根下地２に設置された防水シート３は、防水作用を発揮することができる。
【００５４】
防水シート３を敷設した状態では、防水シート３は、シート固定ユニット１の設置箇所以外の範囲では断熱材４の上に載置されているだけの状態であるから、例えば風による揚力の作用や他の要因により防水シート３がバタつく現象を生じる場合がある。そのような場合でも、ネジ状部３１の先端部３２と係止部材２１の孔部２８とが回転不能にロックされているので、係止部材２１に対してネジ状部３１の抜け外れが阻止される。
【００５５】
上記構成のシート固定ユニット１であれば、防水シート３の設置作業を行う場合に、第一部材Ｄ１のワッシャ部７に組む付けられた係止部材２１に対し、第二部材Ｄ２のネジ状部３１を押し込んで回転装着させるだけの簡単な作業で対応することができる。
【００５６】
本構成のように、連結部１８として、第一部材Ｄ１のワッシャ部７とは別体の係止部材２１を用いると、例えば、例えばネジ状部３１に対して屋根下地２から離れる方向に軸力が作用した場合に、係止部材２１の嵌合壁部２３を撓ませることができる。このように、係止部材２１が撓むことでネジ状部３１に作用する軸力を吸収することができる。これにより、第二部材Ｄ２のネジ状部３１は係止部材２１との当接によって破損等が起き難くなる。その結果、第一部材Ｄ１と第二部材Ｄ２との連結状態を安定的に維持することができる。
【００５７】
また、例えば断熱材４に対して厚みの大きい防水シート３が設置される場合には、係止部材２１の嵌合壁部２３は、ワッシャ部７の開口部１６において防水シート３に近付く方向に撓ませることができる。このように、係止部材２１が防水シート３の厚みに応じて変形することで、異なる厚みの防水シート３を屋根下地２に設置する場合に、ワッシャ部７及び係止部材２１の形状を変更することなく対応することができる。
【００５８】
〔別実施形態〕
（１）上記の実施形態では、第一部材Ｄ１として、板状部材５とワッシャ部７とを備える例を示したが、第一部材Ｄ１はワッシャ部７を備えずに板状部材５のみで構成してもよい。
【００５９】
（２）上記の実施形態では、第一部材Ｄ１を構成する板状部材５とワッシャ部７とが別体で構成されるものを示したが、この構成に代えて、板状部材５とワッシャ部７とが金属材にて一体的に形成されるものであってもよい。
【００６０】
（３）上記実施形態では、第一部材Ｄ１を構成するワッシャ部７と係止部材２１とが別体で構成されるものを示したが、この構成に代えて、図９に示すように、係止部材２１を備えずに、ワッシャ部７が第二部材Ｄ２の第二係止部（ネジ状部３１）に係止する第一係止部を備える構成でもよい。この場合、第一係止部は、例えば本体部１３の内周側に突出形成される凸部１３ａによって構成される。また、図１０に示すように、第二部材Ｄ２に設けられる第二係止部は、板状部材１７の裏面に立設された筒状部３４によって構成してもよい。この場合には、ワッシャ部７の座繰り部１５から上方に被係合部１５ａ（第一係止部）を立設し、板状部材１７に設けられた筒状部３４の先端側に内周側に突出する係合部３５（第二係止部）を設ける。第二部材Ｄ２の側の係合部３５が第一部材Ｄ１の側の被係合部１５ａに係合されることで、第一部材Ｄ１と第二部材Ｄ２とが連結される。
【００６１】
（４）上記実施形態では、第一部材Ｄ１の第一係止部（係止部材２１の孔部２８又はワッシャ部７の凸部１３ａ）に第二部材Ｄ２の第二係止部（ネジ状部３１）を進入させた後に回転させて両者を係止状態にする例を示した。これに代えて、第一部材Ｄ１の第一係止部に対し、第二部材Ｄ２の第二係止部を進入させるだけで両者が係止状態になる構成でもよい。また、第一部材Ｄ１に第二部材Ｄ２を連結させる構造として、他のロック構成を採用してもてよい。
【００６２】
（５）上記の実施形態では、第二部材Ｄ２が第二係止部としてネジ状部３１を備える構成を示したが、第一部材Ｄ１が第一係止部としてネジ状部を有し、第二部材Ｄ２が第二係止部としてネジ状部が係止される孔部等を有する構成でもよい。
【００６３】
（６）上記の実施形態では、防水シート３が塩化ビニル系等の合成樹脂製シート材にて構成されるものを示したが、これに限るものではなく、公知の他の材料（例えば、ゴムやＴＰＥ≪サーモ・プラスチック・エラストマ≫等）を使用したものであってもよい。
【００６４】
（７）上記の実施形態では、第一部材Ｄ１及び第二部材Ｄ２において接着部９，２０がホットメルト接着層で構成されるものを示したが、これに限るものではない。接着部９，２０は、第一部材Ｄ１及び第二部材Ｄ２に対し、予め塗布または防水シート３を敷設する際に塗布した公知の他の接着剤を用いて防水シート３を接着する構成であってもよい。
【００６５】
（８）上記の実施形態では、第一部材Ｄ１の板状部材５がビス６で屋根下地２に固定される構成としたが、ビス６に限らず、プラグアンカを用いてビス６を固定する構成、あるいは、釘を打ちこんで固定する構成を用いるようにしてもよい。
【００６６】
（９）第二部材Ｄ２を構成する板状部材１７の外周部分と防水シート３との間に、両者の間を密閉するシール部材（不図示）を配置してもよい。このように構成することで、防水シート３の防水効果をより高めることができる。
【００６７】
本発明は、防水下地の上に沿って設けられる防水シートを防水下地に固定する防水シート固定具に適用できる。
【符号の説明】
【００６８】
１      ：シート固定ユニット
２      ：屋根下地（防水下地）
３      ：防水シート
４      ：断熱材
５      ：板状部材
６      ：ビス
７      ：ワッシャ部
８      ：貫通孔
９      ：接着部（第一シート固定部）
１３    ：本体部
１３ａ  ：凸部（第一係止部）
１５    ：座繰り部
１５ａ  ：被係合部
１６    ：開口部
１７    ：板状部材
１８    ：連結部
２０    ：接着部（第二シート固定部）
２１    ：係止部材
２３    ：嵌合壁部
２４    ：底部
２８    ：孔部（第一係止部）
２８ａ  ：凸部
３１    ：ネジ状部（第二係止部）
３２    ：先端部
３２ａ  ：ネジ溝
Ｄ１    ：第一部材
Ｄ２    ：第二部材
【図１】
2020079489.tif 000003
【図２】
2020079489.tif 000004
【図３】
2020079489.tif 000005
【図４】
2020079489.tif 000006
【図５】
2020079489.tif 000007
【図６】
2020079489.tif 000008
【図７】
2020079489.tif 000009
【図８】
2020079489.tif 000010
【図９】
2020079489.tif 000011
【図１０】
2020079489.tif 000012